(57)【要約】【課題】多心電線の各心線への端子の圧着を少ない工数で確実に行い、しかも絶縁シースの皮剥き長さを短縮させる。【解決手段】複数の端子押圧面１４を並列に有する一括クリンパ１２と、複数の端子受け面１６を並列に有する一括アンビル１３とを用いて、多心電線１の各心線３に各端子１８を一括圧着する。複数の心線挿通部９を並列に有する一括ピッチ揃え具６を用い、各心線挿通部に各心線を挿通保持させた状態で、各心線に各端子を一括圧着する。一括ピッチ揃え具の複数の心線挿通部に続く大径な絶縁シース挿通部に多心電線の絶縁シースを係合させる。各端子１８を連結した連鎖帯２２を各端子間で押圧部材２４で押圧屈曲させて、端子間ピッチＰを端子押圧面１４のピッチＰと一致させ、その状態で各心線に各端子を一括圧着する。【選択図】図３
2010003429.tif 000002
【特許請求の範囲】
【請求項１】
複数の端子押圧面を並列に有する一括クリンパと、複数の端子受け面を並列に有する一括アンビルとを用いて、多心電線の各心線に各端子を一括圧着することを特徴とする多心電線の端子圧着方法。
【請求項２】
複数の心線挿通部を並列に有する一括ピッチ揃え具を用い、各心線挿通部に前記各心線を挿通保持させた状態で、各心線に各端子を一括圧着することを特徴とする請求項１記載の多心電線の端子圧着方法。
【請求項３】
前記一括ピッチ揃え具の前記複数の心線挿通部に続く大径な絶縁シース挿通部に前記多心電線の絶縁シースを係合させることを特徴とする請求項２記載の多心電線の端子圧着方法。
【請求項４】
前記一括ピッチ揃え具を前記心線挿通部から分割した状態で、各心線挿通部に対して前記各心線を着脱することを特徴とする請求項２又は３記載の多心電線の端子圧着方法。
【請求項５】
前記各端子を連結した連鎖帯を各端子間で押圧部材で押圧屈曲させて、端子間ピッチを前記端子押圧面のピッチと一致させ、その状態で前記各心線に各端子を一括圧着することを特徴とする請求項１〜４の何れかに記載の多心電線の端子圧着方法。
【発明の詳細な説明】
【技術分野】
【０００１】
本発明は、多心電線の各心線に各端子を一括して圧着する多心電線の端子圧着方法に関するものである。
【背景技術】
【０００２】
図６〜図７は、従来の多心電線の端子圧着方法の一形態を示すものである。
【０００３】
この方法は、多心電線１（図６）の絶縁シース２を適宜長さに皮剥きして複数本の心線３を露出させ、各心線３の先端側の絶縁被覆４を皮剥きして各心線３の導体部５（図７）を露出させ、心線３を一本ずつ手で掴んで、導電金属製の端子１８を図７の圧着機のアプリケータのアンビル３２とクリンパ３１で各心線３に順次圧着接続するものである。
【０００４】
各心線３をシース２内に扁平状に並列に並べた多心電線１はフラット多心電線とも呼称される。心線３とは、断面円形の導体部５の外周に合成樹脂製の絶縁被覆４を被着させた細長の電線である。各心線３には識別用の色分けがなされている（例えば図６の一端側から赤、黄、緑、白、黒等）。フラット多心電線１にシールド機能を付加する場合は、図６で他端側の心線３1のように導電性被覆のアース接続ドレイン線を混在させる。断面円形のシールド多心電線１の場合は絶縁シース２の下側に編組等のシールド導体が配設される。
【０００５】
圧着機は、フレーム（図示せず）と、フレームに着脱自在なアプリケータ（図示せず）と、アプリケータのラム（図示せず）を昇降駆動するフレーム側の駆動部（図示せず）とで構成される。図７の如く、アプリケータは、二つの対称な湾曲面（押圧面）３３を有する上型のクリンパ３２と、大きな湾曲面（受け面）３４を有する下型のアンビル３１とを備え、クリンパ３２がラムに連結されて、固定側のアンビル３１との間で端子１８の圧着部３０を心線３の先端部に圧着させる。
【０００６】
端子１８は前半の矩形状の電気接触部２１と後半の電線圧着部３０とで構成され、圧着部３０は前半の一対の導体圧着片１９と後半の一対の被覆圧着片２０とで構成される。通常、クリンパ３２は導体圧着片１９と被覆圧着片２０とに対応して二枚重ねて配置される。
【０００７】
本例の端子１８は雌端子であり、電気接触部２１は内側に弾性接触片（図示せず）を有する。雄端子（図示せず）の場合は、タブ状ないしピン状の電気接触部を箱状部の前側に有し、箱状部の後側に上記同様の電線圧着部３０を有する。断面円形の雌端子を用いる場合もある。
【０００８】
上記以外の従来の多心電線の端子圧着方法としては、例えば特許文献１に、円盤状の電線保持具から多心電線の各心線を放射状に突出させて、電線保持具を回転させつつ、各心線に一つの圧着機のアンビルとクリンパで端子を順次圧着することが記載されている（図示せず）。
【０００９】
また、特許文献２には、平角導体を有する平型電線を複数本並列に並べた状態で、上下の並列切断剥離刃で各平型電線の絶縁被覆を一括皮剥きして平角導体を露出させることが記載されている（図示せず）。
【特許文献１】特開平７−２７２８１８号公報（図３）
【特許文献２】特開平８−２１２８３３号公報（図１６〜図１７）
【発明の開示】
【発明が解決しようとする課題】
【００１０】
しかしながら、上記従来の多心電線の端子圧着方法にあっては、各心線３ごとに同じ圧着機のクリンパ３２とアンビル３１で端子１８を順次圧着するために、圧着作業に多くの工数を必要とするという問題があった。また、心線３の露出長さ（絶縁シースの皮剥き長さ）Ｌを長く設定しないと、圧着機に心線３を一本ずつセットできず、絶縁シース２の皮剥きが面倒であるという問題や、特にシールド多心電線１の場合は、編組等のシールド導体（図示せず）からの心線３の露出長さが長くなって、シールド性が低下するという懸念や、ドレイン線３1のテープ巻き絶縁処理や絶縁チューブ被せ作業に多くの工数を必要とするという問題があった。
【００１１】
本発明は、上記した点に鑑み、多心電線の各心線への端子の圧着を少ない工数で確実に行うことができ、それに加えて絶縁シースの皮剥き長さの増加に起因する諸問題を解消することのできる多心電線の端子圧着方法を提供することを目的とする。
【課題を解決するための手段】
【００１２】
上記目的を達成するために、本発明の請求項１に係る多心電線の端子圧着方法は、複数の端子押圧面を並列に有する一括クリンパと、複数の端子受け面を並列に有する一括アンビルとを用いて、多心電線の各心線に各端子を一括圧着することを特徴とする。
【００１３】
上記構成により、下型である一括アンビルの各端子受け面と上型である一括クリンパの各端子押圧面との間に各端子と各心線の先端部とが配置され、各心線に各端子の圧着部が同時に圧着接続される。一括圧着時に各心線を従来のように大きく開く必要がなく、多心電線の絶縁シースからの各心線の露出長さが短く規定される。
【００１４】
請求項２に係る多心電線の端子圧着方法は、請求項１記載の多心電線の端子圧着方法において、複数の心線挿通部を並列に有する一括ピッチ揃え具を用い、各心線挿通部に前記各心線を挿通保持させた状態で、各心線に各端子を一括圧着することを特徴とする。
【００１５】
上記構成により、一括ピッチ揃え具の各心線挿通部に各心線を挿通保持させることで、各心線のピッチが正確に規定され、その状態で各端子に各心線が圧着接続される。各端子は各心線のピッチと一致させて一括アンビル側に配置される。心線保持部は孔部であっても溝部であってもよい。
【００１６】
請求項３に係る多心電線の端子圧着方法は、請求項２記載の多心電線の端子圧着方法において、前記一括ピッチ揃え具の前記複数の心線挿通部に続く大径な絶縁シース挿通部に前記多心電線の絶縁シースを係合させることを特徴とする。
【００１７】
上記構成により、一括ピッチ揃え具の絶縁シース挿通部に多心電線の絶縁シースが係合保持されることで、絶縁シースからの各心線の突出長さ、すなわち、一括ピッチ揃え具から外部への各心線の突出（露出）長さが正確に規定される。
【００１８】
請求項４に係る多心電線の端子圧着方法は、請求項２又は３記載の多心電線の端子圧着方法において、前記一括ピッチ揃え具を前記心線挿通部から分割した状態で、各心線挿通部に対して前記各心線を着脱することを特徴とする。
【００１９】
上記構成により、一括ピッチ揃え具を開いて各心線挿通部に各心線を挿通セットし、一括ピッチ揃え具を閉じて各心線を保持して各心線に各端子を圧着し、一括ピッチ揃え具を開いて各心線挿通部から電線付きの各心線を取り出す。各心線挿通部に続く絶縁シース挿通部も同時に開閉され、心線と同時に絶縁シースの挿入離脱が行われる。
【００２０】
請求項５に係る多心電線の端子圧着方法は、請求項１〜４の何れかに記載の多心電線の端子圧着方法において、前記各端子を連結した連鎖帯を各端子間で押圧部材で押圧屈曲させて、端子間ピッチを前記端子押圧面のピッチと一致させ、その状態で前記各心線に各端子を一括圧着することを特徴とする。
【００２１】
上記構成により、一括クリンパの各押圧面のピッチ（一括アンビルの各受け面のピッチと同一である）に各端子のピッチが一致するように、各端子間の連鎖帯が押圧部材で屈曲変形されて短縮される。一括クリンパの各押圧面のピッチは各心線のピッチすなわち一括ピッチ揃え具の心線挿通部のピッチに一致する。各端子は連鎖帯で連結された状態で電線圧着される。連鎖帯は端子圧着と同時に切断分離されることが好ましい。
【発明の効果】
【００２２】
請求項１記載の発明によれば、一括アンビルと一括クリンパを用いて多心電線の各心線に各端子を同時に圧着することができ、それにより、端子圧着に要する工数が低減され、端子付き多心電線の製造コストが低減される。また、従来のように各心線を大きく開く必要がないので、絶縁シースからの各心線の露出長さが短縮され、それにより、シールド多心電線におけるシールド性が向上し、また、ドレイン線の導電被覆の絶縁テープ巻き作業や絶縁チューブ被覆作業が不要となり、端子付き多心電線のコストが低減される。
【００２３】
請求項２記載の発明によれば、一括ピッチ揃え具で各心線のピッチを簡単且つ正確に揃えることができ、また、一括アンビルと一括クリンパへの各心線の位置決め配置を簡単且つ正確に行うことができ、それにより、各心線への各端子の圧着がスムーズ且つ確実に行われる。
【００２４】
請求項３記載の発明によれば、絶縁シース挿通部に多心電線の絶縁シースが係合することで、一括ピッチ揃え具からの各心線の突出長さが正確に規定され、各心線への各端子の圧着が位置ずれなく正確に行われる。
【００２５】
請求項４記載の発明によれば、一括ピッチ揃え具に対する各心線の挿通作業性と端子付きの各心線の離脱作業性が向上する。
【００２６】
請求項５記載の発明によれば、各端子のピッチを一括クランプの各押圧面のピッチに迅速且つ正確に一致させることができ、しかも連鎖帯で各端子を連結した状態で位置ずれなく正確に各心線に各端子を圧着することができる。
【発明を実施するための最良の形態】
【００２７】
図１〜５は、本発明に係る多心電線の端子圧着方法の一実施形態を示すものである。
【００２８】
この方法は、図１（ａ）の如く、フラット多心電線１の絶縁シース２を所要長さＬで皮剥きして、各心線３を並列に露出させ、図１（ｂ）の如く、各心線３を一括ピッチ揃え具６内に挿通させてクランプ状に挟み込んで一定の狭いピッチで並列に固定する。その状態で、一括ピッチ揃え具６から前方に突出した各心線３の先端部の絶縁被覆４を所要長さに皮剥きして、導体５を露出させる。
【００２９】
絶縁被覆４の皮剥きは一括して行うことが好ましいが、一本ずつ皮剥きすることも可能である。一括皮剥きは、複数のＶ字状の皮剥き刃を等ピッチで並列に有する上下のブレード（図示せず）を用いて行うことが好ましい（一括皮剥きについては別件で提案する）。
【００３０】
フラット多心電線１は従来と同様のものであり、各心線３は例えば一端から赤、黄、緑、白、黒等に色分けされている。他端の心線３1はシールド用のアース接続ドレイン線で、例えば導電ゴム等の被覆で導体部を覆って構成されることで、他の心線３と同じ扱い（皮剥きや圧着）が可能である。
【００３１】
一括ピッチ揃え具６は、図２（ａ）（ｂ）に一例を示す如く、金属製ないし合成樹脂製の矩形板状の揃え具本体７に、多心電線１のフラットな絶縁シース２を挿通係合させる後部中央の断面平型の大径（幅広）な孔部（絶縁シース挿通部）８と、大径な孔部８に続いて各心線３を等ピッチで並列に挿通係合させる複数の等ピッチで並列な小径な断面円形の孔部（心線挿通部）９とを少なくとも有して構成される。フラットでなく断面円形の多心電線１を用いる場合は、中央の大径な孔部８を断面円形に形成する。
【００３２】
揃え具本体７の前端側には、小径な各孔部９に続いて、端子を収容可能な矩形状の端子保持孔１０が形成されていることが好ましい。端子保持孔１０に端子の後半部を等ピッチで保持することで、後工程でコネクタハウジング（図示せず）への一括端子挿入を可能とする（一括端子挿入については別件で提案する）。本発明の端子圧着工程に関しては端子保持孔１０は不要である。
【００３３】
一括ピッチ揃え具６は板厚方向に重なった（接合した）二枚の分割揃え具本体７ａ，７ｂで構成され、両分割揃え具本体７ａ，７ｂはクランプ状に開閉可能で、係止突起と係合枠片等の係止手段（図示せず）で閉止状態が維持される。開閉形態はヒンジ回動式であってもよく、上下に完全分割式であってもよい。図２（ａ）に両分割揃え具本体７ａ，７ｂの分割面を符号１１で示す。
【００３４】
両分割揃え具本体７ａ，７ｂを開いた状態で、小径の各孔部９を成す断面半円形の溝部９ａに各心線３を係合させ、大径の孔部８を成す断面平型（長円形）の溝部に絶縁シース部２を係合させる。フラットでなく断面円形の多心電線１を用いる場合は、大径の孔部８を成す溝部は断面半円形に形成される。小径な各孔部９は各心線３をガタツキ（隙間）なく係合保持させることが正確な位置決めの上で好ましい。大径の孔部８に絶縁シース２を係合させることで、小径な孔部９内で絶縁シース２からの各心線３の突出長さＬが正確に規定され、端子圧着時の各心線３の先端位置が横一列に整合し、端子圧着後の端子先端の位置ずれが防止される。
【００３５】
図１（ｂ）のように一括ピッチ揃え具６で各心線３を保持した状態で、図３（ａ）（ｂ）の圧着機における一括圧着アプリケータの一括クリンパ１２と一括アンビル１３とで各心線３の先端部に各端子１８を同時に圧着接続する。
【００３６】
図３（ａ）の如く、一括クリンパ１２は、例えば一枚の垂直な幅広の金属板（ブレード）の下端部に各一対の対称な湾曲面１４で成る端子押圧面を等ピッチで並列に形成して構成される。あるいは、幅狭な細長の各金属ブレード１５の下端部に一対の対称な湾曲面１４で成る端子押圧面を形成し、各金属ブレード１５を等ピッチで並列に接合固定して構成される。接合は位置決めピンと位置決め穴とねじ締め手段（図示せず）とで行うことができる。一対の湾曲面（端子押圧面）１４の形状は従来のクリンパにおけると同様である。
【００３７】
一括アンビル１３は、例えば一枚の垂直な幅広の金属板（ブレード）の上端部に大きな屈曲半径の湾曲面（端子受け面）１６を等ピッチで並列に形成して構成される。あるいは、幅狭な細長の各金属ブレード１７の上端部に大きな屈曲半径の湾曲面１６を形成し、各金属ブレード１７を等ピッチで並列に接合固定して構成される。接合は位置決めピンと位置決め穴とねじ締め手段（図示せず）とで行うことができる。湾曲面（受け面）１６の形状は従来のアンビルにおけると同様である。
【００３８】
図３（ｂ）の如く、各端子１８を一括アンビル１３の前側の支持台（図示せず）に並列に配置（セット）した状態で、各端子１８の後半の圧着部（前後各一対の圧着片１９，２０）３０が一括アンビル１３の各受け面１６に載って位置し、上側の一括クリンパ１２が下降して各端子１８の圧着部３０を各押圧面１４で内向きに加締めて各受け面１６との間で心線３に圧着接続させる。
【００３９】
端子１８は従来同様のものであり（本例では雌端子を用いた例を示すが、雄端子も適用可能である）、矩形状の電気接触部２１の後方に続く前側の一対の圧着片（前脚）１９が心線３の導体部５を加締め接続し、後側の一対の圧着片（後脚）２０が心線３の絶縁被覆４を加締め固定する。一括クリンパ１２は導体加締め用と被覆加締め用との前後二枚を接合することで容易に形成される（一枚で導体加締め用と被覆加締め用との各押圧面１４を形成することも可能である）。導体加締め用の押圧面１４と被覆加締め用の押圧面１４とは形状は類似するが詳細形状（アール形状や大きさ等）が異なる。
【００４０】
一括アンビル１３はアプリケータの端子支持台（図示せず）にほぼ同一面で配置され（ばねで上向きに付勢する場合もある）、一括クリンパ１２は昇降自在なラム（図示せず）に固定され、ラムはフレーム側の油圧シリンダ等の駆動部（図示せず）で昇降駆動される。アプリケータは端子１８や電線３の種類に応じて複数種形成され、共通のフレーム（図示せず）に着脱自在である。
【００４１】
図４の如く、各端子１８は圧着前に金属製の一体の連鎖帯２２で相互に等ピッチに連結されており、連鎖帯２２をアプリケータ付属の曲げ機構（端子ピッチ揃え機構）２３で曲げて短縮させて、各端子１８のピッチを一括クリンパ１２と一括アンビル１３との各面１４，１６のピッチに一致させる。
【００４２】
曲げ機構２３は、等ピッチで垂直に且つ平行に配置された複数本の圧縮用ブレード（押圧部材）２４で構成される。各ブレード２４の下端部にはＶ字状の押圧部２５が形成され、押圧部２５は左右一対の傾斜面２５ａを有する。各ブレード２４の上端は例えばアプリケータの昇降ラム（図示せず）と一体の水平な連結板（図示せず）に連結固定される。
【００４３】
連鎖帯２２付きの各端子１８はリール巻きされた横連鎖端子２６として構成され、例えば連鎖帯２２の等ピッチな孔（図示せず）にアプリケータのラムに連動する送り爪（図示せず）が係合して、各端子１８を図３の一括アンビル１３と一括クリンパ１２との間に送る。
【００４４】
図３の如く例えば六つの受け面１６を有する一括アンビル１３に六つの端子１８が同時に送給される。すなわち一括アンビル１３の受け面１６の数と同じ数の端子１８が同時に送られる。送り爪等の端子送り機構は基本的に既存のものである。図４の例では連鎖帯２２の下側に送り爪が位置する。圧縮ブレード２４を上下反転させて配置し、ラム以外の上向きのシリンダ等でブレード２４を昇降駆動させることも可能である。
【００４５】
各端子１８を一括アンビル１３と一括クリンパ１２との間に送る前の段階で、ラムに連動した各ブレード２４の下降動作で端子１８間の連鎖帯２２を下向きに押圧してＶ字状に屈曲変形させて（変形部を符号２７で示す）、各端子１８間のピッチＰを一括アンビル１３と一括クリンパ１２との各面１６，１４のピッチに一致させる（受け面１６と押圧面１４のピッチは同一である）。ブレード２４のＶ字状の押圧部２５の傾斜角度や突出長さや幅やブレード２４の下降ストローク等は、端子１８間のピッチＰを受け面１６や押圧面１４のピッチＰに一致させるべく設定される。端子２１間のピッチＰは図２の孔部９間のピッチＰと同一である。
【００４６】
これにより、圧着時の端子１８間のピッチＰが狭まり、各心線３（図１）を従来のように大きく扇状に拡げる必要がなくなり、心線３の露出長さが短くて済むことで、従来における、心線３の露出長さＬを長く設定しないと、圧着機に心線３を一本ずつセットできず、絶縁シース２の皮剥きが面倒であるという問題や、特にシールド多心電線１の場合に、絶縁シース２の下側の編組等のシールド導体（図示せず）からの心線３の露出長さが長くなって、シールド性が低下するという懸念や、ドレイン線３1のテープ巻き絶縁処理や絶縁チューブ被せ作業に多くの工数を必要とするという問題が解消される。
【００４７】
図４において、平坦な帯状の連鎖帯２２はアプリケータの端子送り部の水平なガイド面（図示せず）に沿って移動し、圧縮ブレード２４の下側でガイド面にはブレード逃がし用の凹溝が形成されている。連鎖帯２２を各ブレード２４で略波形に変形させた後、各端子１８を端子送り方向（図４で右方向）に図３の一括アンビル１３と一括クリンパ１２との間に供給する際に、例えば、凹溝を有するガイド面をシリンダ等の駆動機構で下降させることで、Ｖ字状の突出部（変形部）２７とガイド面との干渉が防止される。
【００４８】
本例の連鎖帯（リードフレームとも言う）２２は各端子１８の前半の矩形筒状の各電気接触部２１を相互に連結している。雄端子（図示せず）を用いる場合は、前半のタブ状の電気接触部に続く中間の箱状部（図示せず）を連鎖帯２２で連結する。一括クリンパ１２や一括アンビル１３から前後方向（端子長手方向）に離間している位置であれば、一括クリンパ１２や一括アンビル１３との干渉なく連鎖帯２２の変形部２７を配置することができる。図３の一括アンビル１３と一括クリンパ１２とで各端子１８に各心線３を一括圧着した際に、ラム（図示せず）に連動する切断刃（図示せず）で連鎖帯２２が切断されて各端子１８から分離排除される。
【００４９】
図５の如く、端子１８の圧着後に図１の一括ピッチ揃え具６を上下に分割して離脱させて、端子１８付きの多心電線１を得る。一括ピッチ揃え具６を用いてコネクタハウジング（図示せず）への端子挿入を行う場合は、一括ピッチ揃え具６を付けたまま端子付きの多心電線１を次工程に送る。
【００５０】
なお、図１，図５においては、心線３の露出長さＬを長く示しているが、図１，図５よりも心線３の露出長さＬを短く設定し、図２の一括ピッチ揃え具６の心線挿通用の孔部９の長さを図２におけるよりも短く設定することが可能である。
【００５１】
また、図１（ａ）の状態から図１（ｂ）において図５の如く各心線３を少し屈曲させた状態で、各心線３の先端の位置にばらつきを生じる（外側の心線３1の先端位置がやや後退する）場合は、心線先端部の絶縁被覆４の皮剥き長さをやや長く設定する。それ以外では一括アンビル１３や一括クリンパ１２を垂直な平板状ではなく円弧状に少し湾曲した形状とすることも可能である。
【００５２】
また、図２の例では、一括ピッチ揃え具６に絶縁シース係合用の大径の孔部８を設けているが、大径の孔部８を省略して、心線挿通用の小径の孔部９のみを並列に形成することも可能である。この場合、図５の絶縁シース２の近傍の傾斜状の心線部分３ａではなく、傾斜状の心線部分３ａの前側に続く真直な心線部分３ｂが小径の孔部９に係合する。
【００５３】
また、図４の例では、圧縮用ブレード２４の先端側の押圧部２５をＶ字状に形成したが、Ｖ字状に代えて円弧状や細幅矩形状等とすることも可能である。また、図２の例では、一括ピッチ揃え具６を分割式としたが、例えば各孔部８，９をスリット状に外部に開口（開放）して、スリット状の開口から心線３や絶縁シース部２を各孔部（溝部）８，９内に挿入（圧入）保持させれば、非分割式であってもよい。小径な孔部（溝部）９は心線挿通部、大径な孔部（溝部）８は絶縁シース挿通部として作用する。
【００５４】
また、上記実施形態においては、一括ピッチ揃え具６を用いて各心線３を保持したが、例えば圧着機のアプリケータに一括ピッチ揃え具６に代わる心線保持具（図示せず）を配設しておき、図３の一括アンビル１３と一括クリンパ１２で各心線３に端子圧着することも可能である。心線保持具は少なくとも各心線を等ピッチで配置する溝を有する。図２の一括ピッチ揃え具６を一括アンビル１３と一括クリンパ１２の近傍でアプリケータに着脱自在とすることも可能である。
【００５５】
また、多心電線１の各心線３や各端子１８の大きさが異なる場合は、一括ピッチ揃え具６や心線保持具（図示せず）の孔部９のピッチＰを不揃いとし、一括クリンパ１２と一括アンビル１３との各面１４，１６のピッチＰを孔部９の不揃いのピッチＰに一致させておけば、端子圧着は可能である。
【００５６】
また、図４の各端子間の連鎖帯２２を短くして、予め各端子間ピッチＰを一括アンビル１３や一括クリンパ１２の各面１６，１４のピッチＰと同一とした場合は、端子ピッチ揃え機構２３は不要となる。
【００５７】
また、本発明は、多心電線の端子圧着方法に限らず、多心電線の端子圧着装置や、多心電線の端子圧着用アプリケータや、端子圧着治具等としても有効なものである。
【図面の簡単な説明】
【００５８】
【図１】（ａ）（ｂ）は本発明に係る多心電線の端子圧着方法の電線揃え工程を順に示す平面図である。
【図２】図１（ｂ）で使用した一括ピッチ揃え具の一形態を示す、（ａ）は正面図、（ｂ）は平面図である。
【図３】端子圧着工程における一括クリンパと一括アンビルの一形態を示す、（ａ）は正面図、（ｂ）は側面図である。
【図４】端子ピッチ揃え工程の一形態を示す斜視図である。
【図５】端子圧着後のワイヤハーネス（多心電線）の一形態を示す平面図である。
【図６】従来の端子圧着後の多心電線を示す平面図である。
【図７】従来の端子圧着工程におけるクリンパとアンビルを示す、（ａ）は正面図、（ｂ）は側面図である。
【符号の説明】
【００５９】
１    多心電線
２    絶縁シース
３    心線
６    一括ピッチ揃え具
８    大径の孔部（絶縁シース挿通部）
９    小径の孔部（心線挿通部）
１２  一括クリンパ
１３  一括アンビル
１４  一対の湾曲面（端子押圧面）
１６  湾曲面（端子受け面）
１８  端子
２２  連鎖帯
２４  ブレード（押圧部材）
Ｐ    ピッチ
【図１】
2010003429.tif 000003
【図２】
2010003429.tif 000004
【図３】
2010003429.tif 000005
【図４】
2010003429.tif 000006
【図５】
2010003429.tif 000007
【図６】
2010003429.tif 000008
【図７】
2010003429.tif 000009